【手続補正書】
【提出日】平成18年1月17日(2006.1.17)
【手続補正１】
【補正対象書類名】明細書
【補正対象項目名】特許請求の範囲
【補正方法】変更
【補正の内容】
【特許請求の範囲】
【請求項１】  能動的磁気再生器であって、（ａ）磁場を発生する磁石と、（ｂ）互いに摺動自在に係合した第１弁部材および可動第２弁部材を有する分配弁であり、第１弁部材および可動第２弁部材の各々が伝熱流体の出入りするポートを有する分配弁と、（ｃ）多孔質であり、伝熱流体が通過できる、磁気熱量効果を示す材料を包含する磁気再生器ベッドであり、分配弁の可動第２弁部材に取り付けてあり、可動第２弁部材が、ベッドの第１サイドに開いた１つのポートと、ベッドの第２サイドに開いている１つのポートとを有し、これらのポート間を流れる流体がベッドの磁気熱量材料を通って流れるようになっている磁気再生器ベッドと、（ｄ）可動第２弁部材に連結しており、可動第２弁部材およびそれに取り付けた再生器ベッドを、再生器ベッドが磁石の磁場の外にある第１位置と、再生器ベッドが磁石の磁場内にある第２位置との間で摺動させる往復動式駆動部とを包含することを特徴とする能動的磁気再生器。
【請求項２】  能動的磁気再生器であって、（ａ）磁場を発生する磁石と、（ｂ）互いに摺動自在に係合した第１弁部材、可動第２弁部材を有する分配弁であり、第１弁部材および可動第２弁部材の各々がそこを通して伝熱流体が出入りできるポートを有する分配弁と、（ｃ）各々が多孔質であり、そこを通して伝熱流体が流れることができる磁気熱量効果を示す材料を包含する第１再生器ベッド、第２再生器ベッドであり、第１、第２の再生器ベッドが互いに隔たって可動第２弁部材に取り付けてあり、可動第２弁部材が、第１ベッドの第１サイドに開く１つのポートと、第１ベッドの第２サイドに開く１つのポートとを有し、これらポート間を流れる流体が第１ベッドの磁気熱量材料を通って流れるようになっており、可動第２弁部材が、また、第２ベッドの第１サイドに開く１つのポートと、第２ベッドの第２サイドに開く１つのポートとを有し、これらポート間を流れる流体が第２再生ベッドの磁気熱量材料を通って流れるようになっている第１、第２の再生器ベッドと、（ｄ）可動第２弁部材に連結してあり、可動第２弁部材およびそれに取り付けた再生器ベッドを、第１再生器ベッドが磁石の磁場外にあり、第２再生器ベッドが磁石の磁場内にある第１位置と、第１再生器ベッドが磁石の磁場内にあり、第２再生器ベッドが磁石の磁場外にある第２位置との間で摺動させる往復動式駆動部とを包含することを特徴とする能動的磁気再生器。
【請求項３】  能動的磁気再生冷凍装置であって、（ａ）磁場を発生する磁石と、（ｂ）互いに摺動可能に係合した第１弁部材および可動第２弁部材を有する分配弁であり、第１弁部材および可動第２弁部材が、各々、伝熱流体が出入りできるポートを有する分配弁と、（ｃ）多孔質であり、そこを通して伝熱流体が流れることができる、磁気熱量効果を示す磁気熱量材料を包含する磁気再生器ベッドであり、可動第２弁部材と一緒に動けるようにそれに取り付けてあり、可動第２弁部材が、ベッドの第１サイドに開く１つのポートと、ベッドの第２サイドに開く１つのポートとを有し、これらのポート間を流れる流体がベッドの磁気熱量材料を通って流れるようになっている磁気再生器ベッドと、（ｄ）可動第２弁部材に連結してあり、この可動第２弁部材およびそれに取り付けた再生器ベッドを、再生器ベッドが磁石の磁場外にある第１位置と、再生器ベッドが磁石の磁場内にある第２位置との間で摺動させる往復動式駆動部と、（ｅ）ホット熱交換器と、（ｆ）コ―ルド熱交換器と、（ｇ）第１弁部材のポートおよびホット、コ―ルド熱交換器に接続した導管であり、磁場外にあるベッドから分配弁を通してコールド熱交換器に通り、次に分配弁を通して磁場内にあるベッドに戻り、次いで分配弁を通してホット熱交換器に、次に分配弁を通して磁場外にあるベッドに戻る回路内で伝熱流体を導くようになっており、導管を通る流れの回路が分配弁の両位置において同じ方向に維持され、各ベッドを通る流れ方向が弁の各位置で逆転されるように分配弁が導管を通る流れを導くようにした導管と、（ｈ）導管に接続してあり、ホット、コ―ルド熱交換器、導管および分配弁を通して伝熱流体を駆動するポンプとを包含することを特徴とする能動的磁気再生冷凍装置。
【請求項４】  能動的磁気再生器装置であって、（ａ）互いに摺動自在に係合した第１弁部材および可動第２弁部材を有する分配弁であり、第１弁部材および可動第２弁部材の各々が、伝熱流体が出入りできるポートを有する分配弁と、（ｂ）多孔質であり、そこを通して伝熱流体が流れるのと許す、磁気熱量効果を示す材料を包含する第１再生器ベッドおよび第２再生器ベッドとを包含し、第１、第２の再生器ベッドが互いに隔たって可動第２弁部材に取り付けてあり、可動第２弁部材が、第１ベッドの第１サイドに開く１つのポートと、第１ベッドの第２サイドに開く１つのポートとを有し、これらのポート間を流れる流体が第１ベッドの磁気熱量材料を通って流れるようにしており、第２弁部材が、また、第２ベッドの第２サイドに開く１つのポートと、第２ベッドの第２サイドに開く１つのポートとを有し、これらのポート間を流れる流体が第２再生器ベッドの磁気熱量材料を通って流れるようになっており、第１弁部材が、外面を有する細長い中空の内側チューブとして形成してあり、可動第２弁部材が、内側チューブの外径よりわずかに大きい内径を有し、内側チューブ上で軸線方向に摺動するように取り付けた細長い中空のチューブとして形成してあり、内側チューブが、４つのカドラントに分割して４つのカドラント導管を構成する内側管腔を有し、また、内側チューブの壁に３対の開口が設けてあり、２対の等間隔に隔たった開口が、４つのカドラント導管のうちの２つと連通しており、磁石の磁場外の位置に位置しており、第３対の開口が、他の２つのカドラント導管と連通し、磁石の磁場内の位置に位置しており、再生器ベッドが、可動第２弁部材の外側チューブのまわりに取り付けてあり、ベッドと連通している可動第２弁部材のポートが、内側チューブにおける開口対の間隔と等しい距離隔たっており、分配弁の第１位置において、第１のベッドに開いている可動第２弁部材のポートが内側チューブのカドラント導管の最初の２つと連通しており、第２ベッドに開いている可動第２弁部材のポートが、内側チューブの他の２つのカドラント導管と連通しており、可動第２弁部材の第２位置において、２つのベッドに開いているポートが、第１位置に置いて連通していなかったカドラント導管と連通するようになっていることを特徴とする能動的磁気再生器装置。
【請求項５】  能動的磁気再生冷凍装置であって、（ａ）磁場を発生する磁石と、（ｂ）互いに摺動可能に係合した第１弁部材および可動第２弁部材を有する分配弁であり、第１弁部材および可動第２弁部材が、各々、伝熱流体が出入りできるポートを有する分配弁と、（ｃ）多孔質であり、そこを通して伝熱流体が流れることができる、磁気熱量効果を示す磁気熱量材料を包含する磁気再生器ベッドであり、可動第２弁部材と一緒に動けるようにそれに取り付けてあり、可動第２弁部材が、ベッドの第１サイドに開く１つのポートと、ベッドの第２サイドに開く１つのポートとを有し、これらのポート間を流れる流体がベッドの磁気熱量材料を通って流れるようになっている磁気再生器ベッドと、（ｄ）可動第２弁部材に連結してあり、この可動第２弁部材およびそれに取り付けた再生器ベッドを、再生器ベッドが磁石の磁場外にある第１位置と、再生器ベッドが磁石の磁場内にある第２位置との間で摺動させる往復動式駆動部と、（ｅ）ホット熱交換器と、（ｆ）流体を急冷するコ―ルド熱交換器と、（ｇ）ポンプと、（ｈ）第１弁部材のポート、ポンプおよびホット、コ―ルド熱交換器に接続した導管であり、磁場外にあるベッドから分配弁を通り、次いで分配弁から流出し、次いで分配弁に戻り、この分配弁を通して磁場内にあるベッドに戻り、次いで分配弁を通してホット熱交換器に流れ、次に分配弁を通して磁場外にあるベッドに戻る回路内で伝熱流体を導くようになっており、また、磁場外にあるベッドから分配弁を通り、次いでコールド熱交換器を通ってポンプの入口へ、そこから分配弁に流れるように流体の一部を導き、さらに、導管を通る流れの回路が分配弁の両位置において同じ方向に維持され、各ベッドを通る流れ方向が弁の各位置で逆転されるように分配弁が導管を通る流れを導くようにしてあり、ポンプが、ホット、コールド熱交換器、導管および分配弁を通して伝熱流体を駆動するように導管に接続してある導管とを包含することを特徴とする能動的磁気再生冷凍装置。